(57)【要約】【課題】外部機器の電源が切られているにもかかわらず、映像送出装置本体の電源がオン状態のまま放置されるのを抑制することが可能な映像送出装置を提供する。【解決手段】この映像送出装置（ＳＴＢ１）は、ＳＴＢ本体１０の状態を報知するＬＥＤ表示部１７および文字表示部１８と、テレビジョン装置２と接続されている場合に、テレビジョン装置２に対して映像データを送出するとともに、テレビジョン装置２とデータ通信可能なＨＤＭＩインターフェース部１５と、ＨＤＭＩインターフェース部１５を介してテレビジョン装置２の電源がオフまたはスタンバイ状態であることを認識した場合に、ＬＥＤ表示部１７および文字表示部１８にＳＴＢ本体１０がオン状態であることを報知させる制御を行う制御部１１とを備えている。【選択図】図３
2012156720.tif 000002
【特許請求の範囲】
【請求項１】
映像送出装置本体の状態を報知する報知部と、
外部機器と接続されている場合に、前記外部機器に対して映像データを送出するとともに、前記外部機器とデータ通信可能なデータ通信部と、
前記データ通信部を介して前記外部機器の電源がオフまたはスタンバイ状態であることを認識した場合に、前記報知部に映像送出装置本体がオン状態であることを報知させる制御を行う制御部とを備える、映像送出装置。
【請求項２】
前記報知部は、前記映像送出装置本体の状態を表示する表示部を含み、
前記制御部は、前記外部機器の電源がオフまたはスタンバイ状態であることを認識した場合に、前記映像送出装置本体がオン状態であることがユーザにより認識可能な態様での表示を前記表示部に行わせる制御を行うように構成されている、請求項１に記載の映像送出装置。
【請求項３】
前記表示部は、前記映像送出装置本体の動作状態を表示する表示部であり、
前記動作状態を表示する表示部を用いて、前記映像送出装置本体の動作状態に加えて、前記映像送出装置本体がオン状態であることがユーザにより認識可能な態様での表示を前記表示部に行わせる制御を行うように構成されている、請求項２に記載の映像送出装置。
【請求項４】
前記表示部は、前記映像送出装置本体がオン状態であることを報知する際に、点灯または点滅状態により表示する光源からなる表示部を含む、請求項３に記載の映像送出装置。
【請求項５】
前記表示部は、前記映像送出装置本体がオン状態であることを報知する際に、文字により表示する文字表示部を含む、請求項３または４に記載の映像送出装置。
【請求項６】
前記制御部は、前記データ通信部を介して、前記外部機器に通信信号を所定の時間間隔で送信するとともに、送信した前記通信信号に対して前記外部機器から応答がない場合に、前記外部機器の電源がオフであると認識するように構成されている、請求項１〜５のいずれか１項に記載の映像送出装置。
【請求項７】
外部から入力された映像データを記録する録画部をさらに備え、
前記制御部は、前記録画部が映像データを記録している場合において、前記データ通信部を介して前記外部機器の電源がオフまたはスタンバイ状態であることを認識した場合に、前記報知部に前記映像送出装置本体がオン状態であることを報知しないように構成されている、請求項１〜６のいずれか１項に記載の映像送出装置。
【請求項８】
前記外部機器は、テレビジョン装置を含み、
前記制御部は、前記データ通信部を介して前記テレビジョン装置の電源がオフまたはスタンバイ状態であることを認識した場合に、前記報知部に映像送出装置本体がオン状態であることを報知させる制御を行うように構成されている、請求項１〜７のいずれか１項に記載の映像送出装置。
【請求項９】
前記映像送出装置は、放送信号を受信するとともに、受信した前記放送信号に基づく映像データを前記外部機器に対して送出するセットトップボックス、または、ディスクから読み込んだ映像データを前記外部機器に対して送出するディスク装置のいずれかからなる、請求項１〜８のいずれか１項に記載の映像送出装置。
【発明の詳細な説明】
【技術分野】
【０００１】
この発明は、映像送出装置に関し、特に、映像送出装置本体の状態を報知する報知部を備えた映像送出装置に関する。
【背景技術】
【０００２】
従来、映像送出装置本体の状態を報知する報知部を備えたＳＴＢ（セットトップボックス）などの映像送出装置が知られている（たとえば、特許文献１参照）。
【０００３】
上記特許文献１には、装置本体の状態をユーザに視覚的に認識可能に表示するための発光素子（報知部）を備え、受信した映像信号を接続されているテレビジョン装置（外部機器）に出力する放送受信装置（映像送出装置）が開示されている。上記特許文献１による放送受信装置は、発光素子の発光状態を切り替える（報知する）ことにより、放送受信装置の状態をユーザに対して視覚的に認識させるように構成されている。
【先行技術文献】
【特許文献】
【０００４】
【特許文献１】特開２００８−５４０８５号公報
【発明の概要】
【発明が解決しようとする課題】
【０００５】
しかしながら、上記特許文献１による放送受信装置（映像送出装置）では、単に、放送受信装置の動作状態に応じた報知が行われるだけであり、放送受信装置本体（映像送出装置本体）の状態を、接続されている外部機器の状態に対応して報知することができないという不都合がある。このため、ユーザは、接続されているテレビジョン装置（外部機器）の状態との関係において放送受信装置本体の状態を認識することができないため、外部機器の電源が切られている状態にもかかわらず、放送受信装置本体の電源がオン状態のまま放置されるおそれがあるという問題点がある。
【０００６】
この発明は、上記のような課題を解決するためになされたものであり、この発明の１つの目的は、外部機器の電源が切られているにもかかわらず、映像送出装置本体の電源がオン状態のまま放置されるのを抑制することが可能な映像送出装置を提供することである。
【課題を解決するための手段および発明の効果】
【０００７】
この発明の一の局面による映像送出装置は、映像送出装置本体の状態を報知する報知部と、外部機器と接続されている場合に、外部機器に対して映像データを送出するとともに、外部機器とデータ通信可能なデータ通信部と、データ通信部を介して外部機器の電源がオフまたはスタンバイ状態であることを認識した場合に、報知部に映像送出装置本体がオン状態であることを報知させる制御を行う制御部とを備える。
【０００８】
この一の局面による映像送出装置では、上記のように、データ通信部を介して外部機器の電源がオフまたはスタンバイ状態であることを認識した場合に、報知部に映像送出装置本体がオン状態であることを報知させる制御を行う制御部を設けることによって、報知部により、外部機器の電源がオフまたはスタンバイ状態であるにもかかわらず映像送出装置本体がオン状態であることをユーザに認識させることができるので、外部機器の電源がオフまたはスタンバイ状態であり、映像送出装置本体が使用されていない状況において、ユーザに対して映像送出装置の電源を切ることを促すことができる。これにより、外部機器の電源が切られている（オフまたはスタンバイ状態である）にもかかわらず、映像送出装置本体の電源がオン状態のまま放置されるのを抑制することができる。また、映像送出装置本体の電源がオン状態のまま放置されるのを抑制することにより、消費電力の軽減を図ることができる。
【０００９】
上記一の局面による映像送出装置において、好ましくは、報知部は、映像送出装置本体の状態を表示する表示部を含み、制御部は、外部機器の電源がオフまたはスタンバイ状態であることを認識した場合に、映像送出装置本体がオン状態であることがユーザにより認識可能な態様での表示を表示部に行わせる制御を行うように構成されている。このように構成すれば、接続されている外部機器の電源がオフまたはスタンバイ状態である場合に、表示部により映像送出装置本体がオン状態であることがユーザに視覚的に認識可能なように報知されるので、映像送出装置本体がオン状態であることを、視覚を通じて容易にユーザに認識させることができる。
【００１０】
上記映像送出装置本体の状態を表示する表示部が設けられた映像送出装置において、好ましくは、表示部は、映像送出装置本体の動作状態を表示する表示部であり、動作状態を表示する表示部を用いて、映像送出装置本体の動作状態に加えて、映像送出装置本体がオン状態であることがユーザにより認識可能な態様での表示を表示部に行わせる制御を行うように構成されている。このように構成すれば、接続されている外部機器の電源がオフまたはスタンバイ状態である場合に、映像送出装置本体が通常有している動作状態を表示する表示部を用いて映像送出装置本体がオン状態であることが表示されるので、映像送出装置本体がオン状態であることを報知するための専用の表示部を別途設ける必要がない。その結果、専用の表示部を別途設ける必要がない分、部品点数が増加するのを抑制することができる。
【００１１】
上記映像送出装置本体の動作状態に加えて、映像送出装置本体がオン状態であることがユーザにより認識可能な態様での表示を表示部に行わせる映像送出装置において、好ましくは、表示部は、映像送出装置本体がオン状態であることを報知する際に、点灯または点滅状態により表示する光源からなる表示部を含む。このように構成すれば、光源からなる表示部が点灯または点滅することにより映像送出装置本体がオン状態であることを報知することにより、容易に、外部機器の電源がオフまたはスタンバイ状態であるにもかかわらず映像送出装置本体がオン状態であることをユーザに認識させることができる。
【００１２】
上記映像送出装置本体の動作状態に加えて、映像送出装置本体がオン状態であることがユーザにより認識可能な態様での表示を表示部に行わせる映像送出装置において、好ましくは、表示部は、映像送出装置本体がオン状態であることを報知する際に、文字により表示する文字表示部を含む。このように構成すれば、文字表示部により、映像送出装置本体の状態を文字でより直接的に表示することができるので、外部機器の電源がオフまたはスタンバイ状態であるにもかかわらず映像送出装置本体がオン状態であることをユーザにより正確に認識させることができる。
【００１３】
上記一の局面による映像送出装置において、好ましくは、制御部は、データ通信部を介して、外部機器に通信信号を所定の時間間隔で送信するとともに、送信した通信信号に対して外部機器から応答がない場合に、外部機器の電源がオフであると認識するように構成されている。このように構成すれば、所定の時間間隔で送信される通信信号を用いて、制御部により、容易に外部機器の電源がオフ状態になったことを認識することができる。
【００１４】
上記一の局面による映像送出装置において、好ましくは、外部から入力された映像データを記録する録画部をさらに備え、制御部は、録画部が映像データを記録している場合において、データ通信部を介して外部機器の電源がオフまたはスタンバイ状態であることを認識した場合に、報知部に映像送出装置本体がオン状態であることを報知しないように構成されている。このように構成すれば、録画部が映像データを記録していない場合に、映像送出装置本体がオン状態であることを報知することができるとともに、録画部が映像データを記録している場合に、映像送出装置本体がオン状態であることを報知しないことにより、映像データの録画中にユーザが誤って映像送出装置本体の電源をオフまたはスタンバイ状態にするのを抑制することができる。
【００１５】
上記一の局面による映像送出装置において、好ましくは、外部機器は、テレビジョン装置を含み、制御部は、データ通信部を介してテレビジョン装置の電源がオフまたはスタンバイ状態であることを認識した場合に、報知部に映像送出装置本体がオン状態であることを報知させる制御を行うように構成されている。このように構成すれば、報知部により、テレビジョン装置の電源がオフまたはスタンバイ状態であるにもかかわらず映像送出装置本体がオン状態であることをユーザに認識させることができるので、テレビジョン装置の電源がオフまたはスタンバイ状態であり、映像送出装置本体が使用されていない状況において、ユーザに対して映像送出装置の電源を切ることを促すことができる。これにより、テレビジョン装置の電源が切られている（オフまたはスタンバイ状態である）にもかかわらず、映像送出装置本体の電源がオン状態のまま放置されるのを抑制することができる。また、映像送出装置本体の電源がオン状態のまま放置されるのを抑制することにより、消費電力の軽減を図ることができる。
【００１６】
上記一の局面による映像送出装置において、好ましくは、映像送出装置は、放送信号を受信するとともに、受信した放送信号に基づく映像データを外部機器に対して送出するセットトップボックス、または、ディスクから読み込んだ映像データを外部機器に対して送出するディスク装置のいずれかからなる。このように構成すれば、接続されている外部機器の電源がオフまたはスタンバイ状態である場合に、映像送出装置本体の電源がオン状態のまま放置されるのを抑制することが可能なセットトップボックスまたはディスク装置を得ることができる。
【図面の簡単な説明】
【００１７】
【図１】本発明の第１実施形態によるセットトップボックス（ＳＴＢ）およびテレビジョン装置の構成を説明するための概略図である。
【図２】本発明の第１実施形態によるセットトップボックス（ＳＴＢ）の構成を説明するためのブロック図である。
【図３】本発明の第１実施形態によるセットトップボックス（ＳＴＢ）のテレビジョン装置が使用状態である場合の処理を説明するためのフローチャートである。
【図４】本発明の第１実施形態によるセットトップボックス（ＳＴＢ）のテレビジョン装置がオン状態からスタンバイ状態に移行する際のシーケンスを説明するための図である。
【図５】本発明の第１実施形態によるセットトップボックス（ＳＴＢ）のテレビジョン装置がオン状態からオフ状態に移行する際のシーケンスを説明するための図である。
【図６】本発明の第１実施形態によるセットトップボックス（ＳＴＢ）のテレビジョン装置がスタンバイ状態である場合の処理を説明するためのフローチャートである。
【図７】本発明の第１実施形態によるセットトップボックス（ＳＴＢ）のテレビジョン装置がスタンバイ状態からオン状態に移行する際のシーケンスを説明するための図である。
【図８】本発明の第１実施形態によるセットトップボックス（ＳＴＢ）のテレビジョン装置がオフ状態である場合の処理を説明するためのフローチャートである。
【図９】本発明の第１実施形態によるセットトップボックス（ＳＴＢ）のテレビジョン装置がオフ状態からオン状態に移行する際のシーケンスを説明するための図である。
【図１０】本発明の第２実施形態によるセットトップボックス（ＳＴＢ）の構成を説明するためのブロック図である。
【図１１】本発明の第２実施形態によるセットトップボックス（ＳＴＢ）のテレビジョン装置が使用状態である場合の処理を説明するためのフローチャートである。
【図１２】本発明の第２実施形態によるセットトップボックス（ＳＴＢ）のテレビジョン装置がスタンバイ状態に移行する際のシーケンスを説明するための図である。
【発明を実施するための形態】
【００１８】
以下、本発明を具体化した実施形態を図面に基づいて説明する。
【００１９】
（第１実施形態）
まず、図１および図２を参照して、本発明の第１実施形態によるＳＴＢ（セットトップボックス）１の構成について説明する。なお、第１実施形態では、本発明の「映像送出装置」の一例であるＳＴＢ１に本発明を適用した場合について説明する。
【００２０】
図１に示すように、ＳＴＢ１は、ケーブルテレビ局（図示せず）から放送信号を受信するとともに、受信した放送信号に基づいて生成した映像信号をテレビジョン装置２に送出する装置である。なお、テレビジョン装置２は、本発明の「外部機器」の一例である。
【００２１】
ＳＴＢ１は、図２に示すように、ＳＴＢ１の制御を司る制御部１１と、チューナ１２と、映像音声処理部１３と、ＣＥＣ（Ｃｏｎｓｕｍｅｒ  Ｅｌｅｃｔｒｏｎｉｃｓ  Ｃｏｎｔｒｏｌ）の通信制御を行うＣＥＣ制御部１４と、ＨＤＭＩインターフェース部１５と、ＨＤＭＩインターフェース部１５を介して接続されたテレビジョン装置２の状態を監視する外部機器状態監視部１６とを備えている。なお、ＨＤＭＩインターフェース部１５は、本発明の「データ通信部」の一例であり、外部機器状態監視部１６は、本発明の「制御部」の一例である。また、図１および図２に示すように、ＳＴＢ１は、さらに、ＳＴＢ本体１０の状態を表示するＬＥＤ表示部１７と、ＳＴＢ本体１０の状態を文字により表示する文字表示部１８と、電源部１９とを備えている。なお、ＳＴＢ本体１０は、本発明の「映像送出装置本体」の一例である。また、ＬＥＤ表示部１７は、本発明の「報知部」、「表示部」および「光源からなる表示部」の一例であり、文字表示部１８は、本発明の「報知部」、「表示部」および「文字表示部」の一例である。
【００２２】
チューナ１２は、図２に示すように、ケーブルテレビ局などが送信する放送信号を受信する機能を有する。映像音声処理部１３は、チューナ１２により受信した放送信号に含まれる映像および音声データの処理を行う機能を有する。ＣＥＣ制御部１４は、ＨＤＭＩインターフェース部１５を介して接続された外部機器（テレビジョン装置２）の状態を確認するための通信制御を行う機能を有する。また、ＨＤＭＩインターフェース部１５は、ＨＤＭＩケーブル５０を介してテレビジョン装置２と接続されている場合に、テレビジョン装置２に対して映像および音声データを送出するとともに、テレビジョン装置２とデータ通信を行うように構成されている。具体的には、ＨＤＭＩインターフェース部１５は、映像音声処理部１３により処理された映像および音声データをテレビジョン装置２側に出力するとともに、ＣＥＣ制御部１４とテレビジョン装置２との間の通信信号を送受信するように構成されている。また、外部機器状態監視部１６は、外部機器（テレビジョン装置２）の状態を確認するための信号の生成、および、外部機器（テレビジョン装置２）から送信された応答信号の内容を確認する機能を有する。
【００２３】
ここで、第１実施形態では、図１および図２に示すように、ＬＥＤ表示部１７は、ＳＴＢ本体１０の状態がオン状態またはスタンバイ状態であることを点灯または点滅状態により表示する既存の表示部である。また、文字表示部１８は、ＳＴＢ本体１０の状態がオン状態である場合に、受信中のチャンネルなどを文字により表示する既存の表示部である。すなわち、文字表示部１８は、ＳＴＢ本体の受信状態を表示することが可能なように構成されている。すなわち、ＬＥＤ表示部１７および文字表示部１８は、ＳＴＢ本体１０の動作状態を表示する表示部であり、ＳＴＢ１は、ＳＴＢ本体１０の動作状態に加えて、ＳＴＢ本体１０の状態がオン状態であることがユーザにより認識可能な態様での表示をＬＥＤ表示部１７および文字表示部１８に行わせる制御を行うように構成されている。
【００２４】
また、第１実施形態では、制御部１１は、図２に示すように、ユーザによる操作に基づいて、ユーザがＳＴＢ本体１０を使用可能な使用モードとユーザがＳＴＢ本体１０の使用を休止する際のスタンバイモードとを切り替える制御を行うように構成されている。また、制御部１１は、テレビジョン装置２にテレビジョン装置２の電源がオフまたはスタンバイ状態であるかを確認するための通信信号を所定の時間間隔（約１０秒〜約２０秒間隔）で外部機器状態監視部１６に送信させる制御を行うように構成されている。そして、制御部１１は、テレビジョン装置２に送信した通信信号に対してテレビジョン装置２から応答がないと外部機器状態監視部１６から伝達された場合に、テレビジョン装置２の電源がオフ状態であると認識するように構成されている。また、制御部１１は、テレビジョン装置２に送信した通信信号に対する応答の内容がスタンバイ状態であることが外部機器状態監視部１６から伝達された場合に、テレビジョン装置２がスタンバイ状態であると認識するように構成されている。また、制御部１１は、テレビジョン装置２に送信した通信信号に対する応答の内容がオン状態（使用状態）であることが外部機器状態監視部１６から伝達された場合に、テレビジョン装置２がオン状態（使用状態）であると認識するように構成されている。
【００２５】
また、第１実施形態では、制御部１１は、ＳＴＢ本体１０が使用モードである場合において、テレビジョン装置２の電源がオフまたはスタンバイ状態であることを認識した場合に、ＬＥＤ表示部１７および文字表示部１８にＳＴＢ本体１０がオン状態であることを報知させる制御を行うように構成されている。つまり、制御部１１は、テレビジョン装置２の電源がオフまたはスタンバイ状態であることを認識した場合に、ＳＴＢ本体１０がオン状態であることをユーザに報知する制御を行うように構成されている。具体的には、制御部１１は、テレビジョン装置２の電源がオフまたはスタンバイ状態で、かつ、ＳＴＢ本体１０がオン状態である場合には、ＬＥＤ表示部１７を点滅させる制御を行うように構成されている。また、制御部１１は、テレビジョン装置２の電源がオフまたはスタンバイ状態で、かつ、ＳＴＢ本体１０がオン状態である場合には、文字表示部１８に「ＰＯＷＥＲ」という文字を表示させるとともに、文字表示部１８に表示させた「ＰＯＷＥＲ」という文字を点滅させる制御を行うように構成されている。
【００２６】
また、制御部１１は、ＳＴＢ本体１０が使用モードである場合において、テレビジョン装置２の電源がオン状態（使用状態）になると、ＬＥＤ表示部１７の点滅および文字表示部１８に表示させた「ＰＯＷＥＲ」という文字の点滅を停止（解消）するように構成されている。
【００２７】
次に、図２〜図５を参照して、本発明の第１実施形態によるＳＴＢ１のテレビジョン装置２が使用状態である場合の処理フローについて説明する。
【００２８】
まず、図３に示すように、制御部１１（図２参照）により、ステップＳ１において、テレビジョン装置２の電源状態を問い合わせるための外部機器状態監視部１６により生成された通信信号がテレビジョン装置２へ送信される。具体的には、図４および図５に示すように、制御部１１は、外部機器状態監視部１６に対して、「Ｇｉｖｅ  Ｄｅｖｉｃｅ  Ｐｏｗｅｒ  Ｓｔａｔｕｓ」という通信信号をテレビジョン装置２に送信させる制御を行う。
【００２９】
その後、図３に示すように、ステップＳ２において、制御部１１および外部機器状態監視部１６により、テレビジョン装置２からの応答イベントやユーザによる操作に基づくイベントなどのなんらかのイベントが発生したか否かが判断される。そして、ステップＳ２において、なんらかのイベントが発生したと判断された場合には、ステップＳ５に進む。また、ステップＳ２において、イベントが発生していないと判断された場合には、ステップＳ３に進む。
【００３０】
その後、ステップＳ３において、テレビジョン装置２の電源状態を問い合わせる通信信号が送信されてから１５秒が経過したか否かが判断される。そして、ステップＳ３において、テレビジョン装置２の電源状態を問い合わせる通信信号が送信されてから１５秒が経過していないと判断された場合には、ステップＳ２に戻る。また、ステップＳ３において、テレビジョン装置２の電源状態を問い合わせる通信信号が送信されてから１５秒が経過したと判断された場合には、テレビジョン装置２の電源状態がオフであると判断され、ステップＳ４に進む。ここで、図５に示すように、テレビジョン装置２がオフ状態である場合には、テレビジョン装置２から電源状態の問い合わせに対する応答があった場合における通信間隔（１０秒）よりも長い送信時間間隔（１５秒（図５参照））で、次の通信信号が送信される。そして、ステップＳ４において、制御部１１により、ＬＥＤ表示部１７を点滅させる制御が行われる。また、ステップＳ４において、制御部１１により、文字表示部１８に「ＰＯＷＥＲ」という文字を表示させるとともに、文字表示部１８に表示させた「ＰＯＷＥＲ」という文字を点滅させる制御が行われ、テレビジョン装置２が使用状態である場合の処理フローが終了する。なお、ステップＳ４の処理の終了後、後述するオフ状態である場合の処理が実行される。
【００３１】
また、ステップＳ２においてなんらかのイベントが発生したと判断された場合には、ステップＳ５において、制御部１１により、イベントの種類がテレビジョン装置２からの応答であるか否かが判断される。そして、ステップＳ５において、イベントの種類がテレビジョン装置２からの応答ではないと判断された場合には、ステップＳ３に進む。また、ステップＳ５において、イベントの種類がテレビジョン装置２からの応答であると判断された場合には、ステップＳ６に進む。
【００３２】
そして、ステップＳ６において、制御部１１により、テレビジョン装置２からの応答内容がスタンバイ状態であるという内容であるか否かが判断される。具体的には、図４に示すように、テレビジョン装置２は、テレビジョン装置２からのイベントとして、テレビジョン装置２がオン状態である場合には、ＳＴＢ１側から送信された「Ｇｉｖｅ  Ｄｅｖｉｃｅ  Ｐｏｗｅｒ  Ｓｔａｔｕｓ」に応答して「＜Ｒｅｐｏｒｔ  Ｐｏｗｅｒ  Ｓｔａｔｕｓ＞[ＯＮ]」という通信信号を送信し、テレビジョン装置２がスタンバイ状態である場合には、ＳＴＢ１側から送信された「Ｇｉｖｅ  Ｄｅｖｉｃｅ  Ｐｏｗｅｒ  Ｓｔａｔｕｓ」に応答して「＜Ｒｅｐｏｒｔ  Ｐｏｗｅｒ  Ｓｔａｔｕｓ＞[Ｓｔａｎｄｂｙ]」という通信信号を送信する。そして、テレビジョン装置２から送信された応答信号が「＜Ｒｅｐｏｒｔ  Ｐｏｗｅｒ  Ｓｔａｔｕｓ＞[ＯＮ]」という通信信号、または、「＜Ｒｅｐｏｒｔ  Ｐｏｗｅｒ  Ｓｔａｔｕｓ＞[Ｓｔａｎｄｂｙ]」という通信信号のいずれの通信信号であるかが判断される。そして、図３に示すように、ステップＳ６において、テレビジョン装置２からの応答内容がスタンバイ状態ではないと判断された場合には、ステップＳ７に進む。すなわち、図３および図４に示すように、テレビジョン装置２から送信された応答信号が「＜Ｒｅｐｏｒｔ  Ｐｏｗｅｒ  Ｓｔａｔｕｓ＞[ＯＮ]」という通信信号であると判断された場合には、ステップＳ７に進む。その後、ステップＳ７において、接続されているテレビジョン装置２へテレビジョン装置２の電源状態を問い合わせる次の通信信号を送信するまで、１０秒間待機し、ステップＳ１に戻る。
【００３３】
また、図３に示すように、ステップＳ６において、テレビジョン装置２からの応答内容がスタンバイ状態であると判断された場合には、ステップＳ８に進む。具体的には、図３および図４に示すように、テレビジョン装置２から送信された応答信号が「＜Ｒｅｐｏｒｔ  Ｐｏｗｅｒ  Ｓｔａｔｕｓ＞[Ｓｔａｎｄｂｙ]」という通信信号であると判断された場合には、ステップＳ８に進む。その後、ステップＳ８において、制御部１１により、ＬＥＤ表示部１７を点滅させる制御が行われる。また、ステップＳ８において、制御部１１により、文字表示部１８に「ＰＯＷＥＲ」という文字を表示させるとともに、文字表示部１８に表示させた「ＰＯＷＥＲ」という文字を点滅させる制御が行われ、テレビジョン装置２が使用状態である場合の処理フローが終了する。なお、ステップＳ８の処理の終了後、図６に示す後述するスタンバイ状態である場合の処理が実行される。
【００３４】
次に、図２、図６および図７を参照して、本発明の第１実施形態によるＳＴＢ１のテレビジョン装置２がスタンバイ状態である場合の処理フローについて説明する。
【００３５】
なお、ステップＳ１１〜Ｓ１３の処理は、上述したステップＳ１〜Ｓ３の処理と同様である。
【００３６】
ステップＳ１２の後、ステップＳ１３において、テレビジョン装置２（図２参照）の電源状態を問い合わせる通信信号が送信されてから１５秒が経過したと判断された場合には、テレビジョン装置２の電源状態がオフであると判断され、テレビジョン装置２がスタンバイ状態である場合の処理フローが終了する。
【００３７】
また、ステップＳ１２においてなんらかのイベントが発生したと判断された場合には、ステップＳ１４において、制御部１１により、イベントの種類がテレビジョン装置２からの応答であるか否かが判断される。そして、ステップＳ１４において、イベントの種類がテレビジョン装置２からの応答ではないと判断された場合には、ステップＳ１３に進む。また、ステップＳ１４において、イベントの種類がテレビジョン装置２からの応答であると判断された場合には、ステップＳ１５に進む。
【００３８】
そして、ステップＳ１５において、制御部１１により、テレビジョン装置２からの応答内容がスタンバイ状態であるという内容であるか否かが判断される。具体的には、図７に示すように、テレビジョン装置２は、テレビジョン装置２からのイベントとして、テレビジョン装置２がオン状態である場合には、ＳＴＢ１側から送信された「Ｇｉｖｅ  Ｄｅｖｉｃｅ  Ｐｏｗｅｒ  Ｓｔａｔｕｓ」に応答して「＜Ｒｅｐｏｒｔ  Ｐｏｗｅｒ  Ｓｔａｔｕｓ＞[ＯＮ]」という通信信号を送信し、テレビジョン装置２がスタンバイ状態である場合には、ＳＴＢ１側から送信された「Ｇｉｖｅ  Ｄｅｖｉｃｅ  Ｐｏｗｅｒ  Ｓｔａｔｕｓ」に応答して「＜Ｒｅｐｏｒｔ  Ｐｏｗｅｒ  Ｓｔａｔｕｓ＞[Ｓｔａｎｄｂｙ]」という通信信号を送信する。そして、テレビジョン装置２から送信された応答信号が「＜Ｒｅｐｏｒｔ  Ｐｏｗｅｒ  Ｓｔａｔｕｓ＞[ＯＮ]」という通信信号、または、「＜Ｒｅｐｏｒｔ  Ｐｏｗｅｒ  Ｓｔａｔｕｓ＞[Ｓｔａｎｄｂｙ]」という通信信号のいずれの通信信号であるかが判断される。そして、図６に示すように、ステップＳ１５において、テレビジョン装置２からの応答内容がスタンバイ状態であると判断された場合には、ステップＳ１６に進む。すなわち、図７に示すように、テレビジョン装置２から送信された応答信号が「＜Ｒｅｐｏｒｔ  Ｐｏｗｅｒ  Ｓｔａｔｕｓ＞[Ｓｔａｎｄｂｙ]」という通信信号であると判断された場合には、ＬＥＤ表示部１７および文字表示部１８が点滅した状態のままステップＳ１６に進む。その後、ステップＳ１６において、接続されているテレビジョン装置２へテレビジョン装置２の電源状態を問い合わせる次の通信信号を送信するまで、１０秒間待機し、ステップＳ１１に戻る。
【００３９】
また、図６に示すように、ステップＳ１５において、テレビジョン装置２からの応答内容がスタンバイ状態ではないと判断された場合には、ステップＳ１７に進む。具体的には、図７に示すように、テレビジョン装置２から送信された応答信号が「＜Ｒｅｐｏｒｔ  Ｐｏｗｅｒ  Ｓｔａｔｕｓ＞[ＯＮ]」という通信信号であると判断された場合には、ステップＳ１７に進む。その後、図６および図７に示すように、ステップＳ１７において、制御部１１により、ＬＥＤ表示部１７を点滅させる制御が停止される。つまり、ＬＥＤ表示部１７は、通常の点灯表示を行う。また、ステップＳ１７において、制御部１１により、文字表示部１８に「ＰＯＷＥＲ」という文字の点滅を停止し、文字表示部１８に表示させた「ＰＯＷＥＲ」という文字を消去する。そして、テレビジョン装置２がスタンバイ状態である場合の処理フローが終了する。
【００４０】
次に、図２、図５、図８および図９を参照して、本発明の第１実施形態によるＳＴＢ１のテレビジョン装置２がオフ状態である場合の処理フローについて説明する。
【００４１】
なお、ステップＳ２１およびＳ２２の処理は、上述したステップＳ１およびＳ２の処理と同様である。
【００４２】
ステップＳ２１の後、ステップＳ２２において、なんらかのイベントが発生したと判断された場合には、ステップＳ２４に進む。また、ステップＳ２２において、イベントが発生していないと判断された場合には、ステップＳ２３に進む。
【００４３】
その後、ステップＳ２３において、テレビジョン装置２（図２参照）の電源状態を問い合わせる通信信号が送信されてから２０秒が経過したか否かが判断される。ここで、図９に示すように、テレビジョン装置２がオフ状態である場合には、テレビジョン装置２から電源状態の問い合わせに対する１回目の応答がなかった場合における信号の送信時間間隔（１５秒（図５参照））よりも長い時間間隔（２０秒）で、次の通信信号が送信される。そして、図８に示すように、ステップＳ２３において、テレビジョン装置２の電源状態を問い合わせる通信信号が送信されてから２０秒が経過していないと判断された場合には、ステップＳ２２に戻る。また、ステップＳ２３において、テレビジョン装置２の電源状態を問い合わせる通信信号が送信されてから２０秒が経過したと判断された場合には、ステップＳ２１に戻る。
【００４４】
また、ステップＳ２２においてなんらかのイベントが発生したと判断された場合には、ステップＳ２４において、制御部１１により、イベントの種類がテレビジョン装置２からの応答であるか否かが判断される。そして、ステップＳ２４において、イベントの種類がテレビジョン装置２からの応答ではないと判断された場合には、ステップＳ２３に進む。また、ステップＳ２４において、イベントの種類がテレビジョン装置２からの応答であると判断された場合には、ステップＳ２５に進む。
【００４５】
そして、ステップＳ２５において、制御部１１により、テレビジョン装置２からの応答内容がオン状態であるという内容であるか否かが判断される。具体的には、図９に示すように、テレビジョン装置２から送信された応答信号が「＜Ｒｅｐｏｒｔ  Ｐｏｗｅｒ  Ｓｔａｔｕｓ＞[ＯＮ]」という通信信号であるか否かが判断される。そして、図８に示すように、ステップＳ２５において、テレビジョン装置２からの応答内容がオン状態ではないと判断された場合には、ステップＳ２６に進む。そして、ステップＳ２６において、テレビジョン装置２がスタンバイ状態であると判断され、テレビジョン装置２がオフ状態である場合の処理フローが終了する。また、ステップＳ２５において、テレビジョン装置２からの応答内容がオン状態であると判断された場合には、ステップＳ２７に進む。すなわち、図８および図９に示すように、テレビジョン装置２から送信された応答信号が「＜Ｒｅｐｏｒｔ  Ｐｏｗｅｒ  Ｓｔａｔｕｓ＞[ＯＮ]」という通信信号であると判断された場合には、ステップＳ２７に進む。そして、ステップＳ２７において、制御部１１により、ＬＥＤ表示部１７を点滅させる制御が停止される。つまり、ＬＥＤ表示部１７は、通常の点灯表示を行う。また、ステップＳ２７において、制御部１１により、文字表示部１８に「ＰＯＷＥＲ」という文字の点滅を停止し、文字表示部１８に表示させた「ＰＯＷＥＲ」という文字を消去する。そして、テレビジョン装置２がオフ状態である場合の処理フローが終了する。
【００４６】
第１実施形態では、上記のように、ＨＤＭＩインターフェース部１５を介してテレビジョン装置２の電源がオフまたはスタンバイ状態であることを認識した場合に、ＬＥＤ表示部１７および文字表示部１８にＳＴＢ本体１０がオン状態であることを報知させる制御を行う制御部１１および外部機器状態監視部１６を設けることによって、ＬＥＤ表示部１７および文字表示部１８により、テレビジョン装置２の電源がオフまたはスタンバイ状態であるにもかかわらずＳＴＢ本体１０がオン状態であることをユーザに認識させることができるので、テレビジョン装置２の電源がオフまたはスタンバイ状態であり、ＳＴＢ本体１０が使用されていない状況において、ユーザに対してＳＴＢ本体１０の電源を切ることを促すことができる。これにより、テレビジョン装置２の電源が切られている（オフまたはスタンバイ状態である）にもかかわらず、ＳＴＢ本体１０の電源がオン状態のまま放置されるのを抑制することができる。また、ＳＴＢ本体１０の電源がオン状態のまま放置されるのを抑制することにより、消費電力の軽減を図ることができる。
【００４７】
また、第１実施形態では、上記のように、テレビジョン装置２の電源がオフまたはスタンバイ状態であることを認識した場合に、ＳＴＢ本体１０がオン状態であることをユーザにより認識可能な態様の表示をＬＥＤ表示部１７および文字表示部１８に行わせることによって、接続されているテレビジョン装置２の電源がオフまたはスタンバイ状態である場合に、ＬＥＤ表示部１７および文字表示部１８によりＳＴＢ本体１０がオン状態であることがユーザに視覚的に認識可能なように報知されるので、ＳＴＢ本体１０がオン状態であることを、視覚を通じて容易にユーザに認識させることができる。
【００４８】
また、第１実施形態では、上記のように、ＳＴＢ本体１０の動作状態に加えて、ＳＴＢ本体１０の状態がオン状態であることがユーザにより認識可能な態様での表示をＬＥＤ表示部１７および文字表示部１８に行わせることによって、接続されているテレビジョン装置２の電源がオフまたはスタンバイ状態である場合に、ＳＴＢ本体１０が通常有している動作状態を表示するＬＥＤ表示部１７および文字表示部１８を用いてＳＴＢ本体１０がオン状態であることが表示されるので、ＳＴＢ本体１０がオン状態であることを報知するための専用の表示部を別途設ける必要がない。その結果、専用の表示部を別途設ける必要がない分、部品点数が増加するのを抑制することができる。
【００４９】
また、第１実施形態では、上記のように、ＳＴＢ本体１０がオン状態であることを報知する際に、点灯または点滅状態により表示する光源からなるＬＥＤ表示部１７を設けることによって、光源からなるＬＥＤ表示部１７が点灯または点滅することによりＳＴＢ本体１０がオン状態であることを報知することにより、容易に、テレビジョン装置２の電源がオフまたはスタンバイ状態であるにもかかわらずＳＴＢ本体１０がオン状態であることをユーザに認識させることができる。
【００５０】
また、第１実施形態では、上記のように、ＳＴＢ本体１０がオン状態であることを報知する際に、文字により表示する文字表示部１８を設けることによって、文字表示部１８により、ＳＴＢ本体１０の状態を文字でより直接的に表示することができるので、テレビジョン装置２の電源がオフまたはスタンバイ状態であるにもかかわらずＳＴＢ本体１０がオン状態であることをユーザにより正確に認識させることができる。
【００５１】
また、第１実施形態では、上記のように、制御部１１を、ＨＤＭＩインターフェース部を介して、テレビジョン装置２に通信信号を所定の時間間隔（１０秒〜２０秒間隔）で送信するとともに、送信した通信信号に対してテレビジョン装置２から応答がない場合に、テレビジョン装置２の電源がオフであると認識するように構成することによって、所定の時間間隔（１０秒〜２０秒間隔）で送信される通信信号を用いて、制御部１１により、容易にテレビジョン装置２の電源がオフ状態になったことを認識することができる。
【００５２】
（第２実施形態）
次に、図１０を参照して、本発明の第２実施形態によるＳＴＢ６０について説明する。この第２実施形態では、上記第１実施形態とは異なり、チューナ１２により受信した放送信号に含まれる映像および音声データを記録する録画部６３を備えるＳＴＢ６０に本発明を適用した例について説明する。
【００５３】
第２実施形態では、ＳＴＢ６０は、図１０に示すように、ＳＴＢ６０の制御を司る制御部６１と、チューナ１２に接続された復号部６２と、復号部６２に接続され、チューナ１２により受信した放送信号に含まれる映像および音声データを記録する録画部６３とを備えている。なお、ＳＴＢ６０は、本発明の「映像送出装置」および「映像送出装置本体」の一例である。
【００５４】
復号部６２は、チューナ１２により受信された圧縮放送信号を復元（デコード）した後、録画部６３および映像音声処理部１３に伝達する機能を有する。録画部６３は、ハードディスクドライブからなる記憶装置により構成されており、チューナ１２により受信した放送信号に含まれる映像および音声データを保存するように構成されている。
【００５５】
また、第２実施形態では、制御部６１は、ＳＴＢ６０が使用モードである場合において、テレビジョン装置２の電源がオフまたはスタンバイ状態であることを認識した場合に、録画部６３が録画中か否かを確認するように構成されている。そして、制御部６１は、録画部６３が録画中ではないと判断した場合には、ＬＥＤ表示部１７および文字表示部１８にＳＴＢ６０がオン状態であることを報知させる制御を行うように構成されている。また、制御部６１は、録画部６３が録画中であると判断した場合には、ＬＥＤ表示部１７および文字表示部１８にＳＴＢ６０がオン状態であることを報知させる制御を行わないように構成されている。
【００５６】
なお、第２実施形態によるＳＴＢ６０のその他の構成は、上記第１実施形態と同様である。
【００５７】
次に、図８、図１０〜図１２を参照して、本発明の第２実施形態によるＳＴＢ６０のテレビジョン装置２が使用状態（オン状態）である場合の処理フローについて説明する。
【００５８】
なお、ステップＳ３１〜Ｓ３３の処理は、上述した第１実施形態のステップＳ１〜Ｓ３の処理と同様である。
【００５９】
第２実施形態では、ステップＳ３３の後、図１１に示すように、制御部６１（図１０参照）により、ステップＳ３４において、制御部６１により、録画部６３が録画中か否かが判断される。そして、ステップＳ３４において、録画部６３が録画中であると判断された場合には、ステップＳ３２に戻る。また、ステップＳ３４において、録画部６３が録画中ではないと判断された場合には、ステップＳ３５に進む。そして、ステップＳ３５において、制御部１１により、ＬＥＤ表示部１７を点滅させる制御が行われる。また、ステップＳ３５において、制御部１１により、文字表示部１８に「ＰＯＷＥＲ」という文字を表示させるとともに、文字表示部１８に表示させた「ＰＯＷＥＲ」という文字を点滅させる制御が行われ、テレビジョン装置２が使用状態である場合の処理フローが終了する。なお、ステップＳ３５の処理の終了後、図８に示すオフ状態である場合の処理が実行される。
【００６０】
また、ステップＳ３２においてなんらかのイベントが発生したと判断された場合には、ステップＳ３６において、制御部６１および外部機器状態監視部１６により、イベントの種類がテレビジョン装置２からの応答であるか否かが判断される。そして、ステップＳ３６において、イベントの種類がテレビジョン装置２からの応答ではないと判断された場合には、ステップＳ３３に進む。また、ステップＳ３６において、イベントの種類がテレビジョン装置２からの応答であると判断された場合には、ステップＳ３７に進む。
【００６１】
そして、ステップＳ３７において、制御部６１により、テレビジョン装置２からの応答内容がスタンバイ状態であるという内容であるか否かが判断される。具体的には、図１２に示すように、テレビジョン装置２は、テレビジョン装置２からのイベントとして、テレビジョン装置２がオン状態である場合には、ＳＴＢ６０側から送信された「Ｇｉｖｅ  Ｄｅｖｉｃｅ  Ｐｏｗｅｒ  Ｓｔａｔｕｓ」に応答して「＜Ｒｅｐｏｒｔ  Ｐｏｗｅｒ  Ｓｔａｔｕｓ＞[ＯＮ]」という通信信号を送信し、テレビジョン装置２がスタンバイ状態である場合には、ＳＴＢ６０側から送信された「Ｇｉｖｅ  Ｄｅｖｉｃｅ  Ｐｏｗｅｒ  Ｓｔａｔｕｓ」に応答して「＜Ｒｅｐｏｒｔ  Ｐｏｗｅｒ  Ｓｔａｔｕｓ＞[Ｓｔａｎｄｂｙ]」という通信信号を送信する。そして、テレビジョン装置２から送信された応答信号が「＜Ｒｅｐｏｒｔ  Ｐｏｗｅｒ  Ｓｔａｔｕｓ＞[ＯＮ]」という通信信号、または、「＜Ｒｅｐｏｒｔ  Ｐｏｗｅｒ  Ｓｔａｔｕｓ＞[Ｓｔａｎｄｂｙ]」という通信信号のいずれの通信信号であるかが判断される。そして、図１１に示すように、ステップＳ３７において、テレビジョン装置２からの応答内容がスタンバイ状態ではないと判断された場合には、ステップＳ３８に進む。すなわち、図１２に示すように、テレビジョン装置２から送信された応答信号が「＜Ｒｅｐｏｒｔ  Ｐｏｗｅｒ  Ｓｔａｔｕｓ＞[ＯＮ]」という通信信号であると判断された場合には、ステップＳ３８（図１１参照）に進む。その後、図１１に示すように、ステップＳ３８において、接続されているテレビジョン装置２へテレビジョン装置２の電源状態を問い合わせる次の通信信号を送信するまで、１０秒間待機し、ステップＳ３１に戻る。
【００６２】
また、ステップＳ３７において、テレビジョン装置２からの応答内容がスタンバイ状態であると判断された場合には、ステップＳ３９に進む。具体的には、図１２に示すように、テレビジョン装置２から送信された応答信号が「＜Ｒｅｐｏｒｔ  Ｐｏｗｅｒ  Ｓｔａｔｕｓ＞[Ｓｔａｎｄｂｙ]」という通信信号であると判断された場合には、ステップＳ３９に進む。その後、図１１に示すように、ステップＳ３９において、制御部６１により、録画部６３が録画中か否かが判断される。そして、ステップＳ３９において、録画部６３が録画中であると判断された場合には、ステップＳ３８に進む。また、図１１および図１２に示すように、ステップＳ３９において、録画部６３が録画中ではないと判断された場合には、ステップＳ４０に進む。
【００６３】
そして、ステップＳ４０において、制御部６１により、ＬＥＤ表示部１７を点滅させる制御が行われる。また、ステップＳ４０において、制御部６１により、文字表示部１８に「ＰＯＷＥＲ」という文字を表示させるとともに、文字表示部１８に表示させた「ＰＯＷＥＲ」という文字を点滅させる制御が行われ、テレビジョン装置２が使用状態である場合の処理フローが終了する。
【００６４】
なお、第２実施形態によるＳＴＢ６０のその他の動作は、上記第１実施形態と同様である。
【００６５】
第２実施形態では、上記のように、ＨＤＭＩインターフェース部１５を介してテレビジョン装置２の電源がオフまたはスタンバイ状態であることを認識した場合に、ＬＥＤ表示部１７および文字表示部１８にＳＴＢ６０がオン状態であることを報知させる制御を行う制御部６１および外部機器状態監視部１６を設けることによって、テレビジョン装置２の電源が切られている（オフまたはスタンバイ状態である）にもかかわらず、ＳＴＢ６０の電源がオン状態のまま放置されるのを抑制することができる。また、ＳＴＢ６０の電源がオン状態のまま放置されるのを抑制することにより、消費電力の軽減を図ることができる。
【００６６】
また、第２実施形態では、上記のように、録画部６３が映像データを記録している場合において、ＨＤＭＩインターフェース部１５を介してテレビジョン装置２の電源がオフまたはスタンバイ状態であることを認識した場合に、ＬＥＤ表示部１７および文字表示部１８に映像送出装置本体がオン状態であることを報知しないことによって、録画部６３が映像データを記録していない場合に、ＳＴＢ６０がオン状態であることを報知することができるとともに、録画部６３が映像データを記録している場合に、ＳＴＢ６０がオン状態であることを報知しないことにより、映像データの録画中にユーザが誤ってＳＴＢ６０の電源をオフまたはスタンバイ状態にするのを抑制することができる。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
たとえば、上記第１および第２実施形態では、本発明の映像送出装置の一例としてのＳＴＢ（セットトップボックス）に本発明を適用した例について示したが、本発明はこれに限られない。本発明では、映像送出装置であれば、たとえば、ブルーレイレコーダおよびＤＶＤレコーダなどのＳＴＢ以外の他の映像送出装置に本発明を適用してもよい。なお、ブルーレイレコーダおよびＤＶＤレコーダは、本発明の「ディスク装置」の一例である。
【００６９】
また、上記第１および第２実施形態では、本発明のデータ通信部の一例としてＨＤＭＩインターフェース部を用いた例について示したが、本発明はこれに限られない。本発明では、データ通信可能であれば、たとえば、ＬＡＮ（Ｌｏｃａｌ  Ａｒｅａ  Ｎｅｔｗｏｒｋ）インターフェース部および無線ＬＡＮ通信部などのＨＤＭＩインターフェース部以外のデータ通信部を用いてもよい。
【００７０】
また、上記第１および第２実施形態では、ＳＴＢ本体の動作状態に加えて、ＳＴＢ本体の状態がオン状態であることを表示するＬＥＤ表示部および文字表示部を用いることにより、テレビジョン装置の電源がオフまたはスタンバイ状態であることを報知する例について示したが、本発明はこれに限られない。テレビジョン装置の電源がオフまたはスタンバイ状態であることを報知するための表示部をＳＴＢ本体の動作状態を表示するＬＥＤ表示部および文字表示部とは別途設けるようにしてもよい。また、本発明では、表示部を用いずに、ブザーなどの警告音を用いることにより、テレビジョン装置の電源がオフまたはスタンバイ状態であることを報知するようにしてもよい。
【００７１】
また、上記第１および第２実施形態では、テレビジョン装置に本発明の外部機器を適用した例について示したが、本発明はこれに限られない。本発明では、映像データを受信可能な外部機器であれば、プロジェクタ装置、モニタなどのテレビジョン装置以外の外部機器に本発明を適用してもよい。
【００７２】
また、上記第２実施形態では、本発明の録画部の一例としてハードディスクドライブからなる記憶装置を用いた例について示したが、本発明はこれに限られない。本発明では、映像および音声を録画可能な録画部であれば、ＮＡＮＤメモリなど、半導体からなるメモリを用いてもよい。
【００７３】
また、上記第２実施形態では、テレビジョン装置２がスタンバイ状態およびオフ状態の場合に、第１実施形態のフローと同様の処理を行う例について示したが、本発明はこれに限られない。本発明では、テレビジョン装置２がスタンバイ状態である場合のステップＳ１５とステップＳ１６との間（図６参照）、および、テレビジョン装置２がオフ状態である場合のステップＳ２３の判断の後（図８参照）に録画を行っているか否かの判断を設けるとともに、録画を行っていると判断された場合に、ＬＥＤ表示部および文字表示部の点滅を停止する処理を行うようにしてもよい。
【符号の説明】
【００７４】
１  セットトップボックス（ＳＴＢ）（映像送出装置）
２  テレビジョン装置（外部機器）
１０  ＳＴＢ本体（映像送出装置本体）
１１、６１  制御部
１５  ＨＤＭＩインターフェース部（データ通信部）
１６  外部機器状態監視部（制御部）
１７  ＬＥＤ表示部（報知部、表示部、光源からなる表示部）
１８  文字表示部（報知部、表示部）
６０  ＳＴＢ（映像送出装置、映像送出装置本体）
６３  録画部
【図１】
2012156720.tif 000003
【図２】
2012156720.tif 000004
【図３】
2012156720.tif 000005
【図４】
2012156720.tif 000006
【図５】
2012156720.tif 000007
【図６】
2012156720.tif 000008
【図７】
2012156720.tif 000009
【図８】
2012156720.tif 000010
【図９】
2012156720.tif 000011
【図１０】
2012156720.tif 000012
【図１１】
2012156720.tif 000013
【図１２】
2012156720.tif 000014